(57)【特許請求の範囲】
【請求項１】
表示装置の画面上に画像を表示させて行うプレゼンテーションを動画として撮影する際に１以上のマーカーを設定するキューポイント制御装置であって、
前記プレゼンテーションを行うユーザーの動きを検出する動き検出部と、
前記検出された動きから、前記マーカーの設定に関する前記ユーザーの第１の動きを判定したとき、前記撮影中の動画の、前記第１の動きを判定した時のフレームに時間的なマーカーを設定する制御部と、
前記撮影された動画が再生される際に、前記再生される動画に設定された前記１以上の時間的なマーカーの一覧および前記再生される動画の画像を表示可能な表示部と、
前記動画を頭出しするユーザーによる、前記表示された一覧からの前記時間的なマーカーの選択および前記表示された画像上の座標の指示のうち、少なくとも一方を受け付け可能な入力部と
を備え、
前記制御部は、
前記検出された動きから、前記第１の動きを判定したとき、
前記画面上に表示されているカーソルの座標を取得し、
前記撮影中の動画の、前記第１の動きを判定した時のフレームのフレーム番号と前記座標とを対応付けて空間的なマーカーとして記録し、
前記時間的なマーカーが指定された場合、前記指定されたマーカーに基づく頭出しを、前記動画を再生する動画再生装置に指示し、
前記座標が指示された場合、前記指示された座標を含む特定の範囲に含まれる座標に対応付けられた前記空間的なマーカーを検索し、前記検索されたマーカーに基づく頭出しを、前記動画を再生する動画再生装置に指示する
キューポイント制御装置。
【請求項２】
請求項１に記載のキューポイント制御装置であって、
前記制御部は、
前記検出された動きから、前記マーカーの設定に関する前記ユーザーの第２の動きを判定したとき、前記撮影中の動画の、前記第２の動きを判定した時のフレームから前記第２の動きが示す時間だけ前のフレームに時間的なマーカーを設定する
キューポイント制御装置。
【請求項３】
請求項１に記載のキューポイント制御装置であって、
前記検出された動きから、前記画面を指し示すユーザーの第３の動きを抽出し、
抽出結果に基づいて前記画面に表示されるカーソルを移動させるポインティング制御部
をさらに備えた
キューポイント制御装置。
【請求項４】
表示装置の画面上に画像を表示させて行うプレゼンテーションを動画として撮影する際に１以上のマーカーを設定するキューポイント制御プログラムであって、
動き検出部により検出された、前記プレゼンテーションを行うユーザーの動きから、前記マーカーの設定に関する前記ユーザーの第１の動きを判定したとき、前記撮影中の動画の、前記第１の動きを判定した時のフレームに時間的なマーカーを設定し、
表示部に、前記撮影された動画が再生される際に、前記再生される動画に設定された前記１以上の時間的なマーカーの一覧および前記再生される動画の画像を表示し、
入力部を介して、前記動画を頭出しするユーザーによる、前記表示された一覧からの前記時間的なマーカーの選択および前記表示された画像上の座標の指示のうち、少なくとも一方を受け付け、
前記検出された動きから、前記第１の動きを判定したとき、
前記画面上に表示されているカーソルの座標を取得し、
前記撮影中の動画の、前記第１の動きを判定した時のフレームのフレーム番号と前記座標とを対応付けて空間的なマーカーとして記録し、
前記時間的なマーカーが指定された場合、前記指定されたマーカーに基づく頭出しを、前記動画を再生する動画再生装置に指示し、
前記座標が指示された場合、前記指示された座標を含む特定の範囲に含まれる座標に対応付けられた前記空間的なマーカーを検索し、前記検索されたマーカーに基づく頭出しを、前記動画を再生する動画再生装置に指示する制御部
としてコンピューターを機能させる
キューポイント制御プログラム。
【発明の詳細な説明】
【技術分野】
【０００１】
本発明は、録画時にキューポイント（Cue Point）を設け、再生時に設定したキューポイントに基づいた頭出しが可能なキューポイント制御装置およびキューポイント制御プログラムに関する。
【背景技術】
【０００２】
ユーザーが聴衆に対してプレゼンテーションする際に、プレゼンテーションの内容を後ほど振り返る目的でそのプレゼンテーションを録画することが行われてきた。そして、議事録作成や動画編集のための、録画された動画データの見直しを効率化するために、再生時に頭出しをするためのキューポイントが設けられるのが一般的である。なお、ここでいうキューポイントとは、動画内の特定時点を示すマーカーのことである。
【０００３】
従来、動画データにキューポイントを設ける為には、動画編集ソフトウェアなどを用いて、録画した動画データを再生して内容を確認しながら必要な箇所にキューポイントを設定していた。
【０００４】
しかし、この方法では録画後に再生しながらキューポイントを設定する手間がかかるので、この手間を省くために、例えば、特許文献１に開示されているような技術が開発された。
【０００５】
特許文献１の技術は、録画時にキューポイントを設定することにより、再生しながらキューポイントを設定する手間を省くものである。但し、録画時にはキューポイントとして設定する必要がある場面であるとキューポイントの設定者が認識した時には、既に録画が先に進んでしまっている可能性が高い。そこで、特許文献１の技術では、キューポイントの設定者がキューポイント設定の指示を出した時点から特定の時間だけ前の時点にキューポイントを設定することにより、問題を解決している。
【先行技術文献】
【特許文献】
【０００６】
【特許文献１】特開２００８−２３４７９８号公報
【発明の概要】
【発明が解決しようとする課題】
【０００７】
特許文献１の技術により、録画時にキューポイントを設定することは出来るようになったが、ユーザーはマウスやボタンなどを操作してキューポイントを設定しなければならず、プレゼンテーションする発表者がキューポイントを設定するユーザーである場合に、何も手に持たずにプレゼンテーションすることは出来なかった。
【０００８】
また、録画時に時間軸上で近い位置に数多くのキューポイントを設定した場合、動画データに記憶された細かな時刻を区別することは困難であり、再生したい箇所を探すには頭出ししたい時刻に近いキューポイントに当りをつけて、必要な箇所を探し出さなければならなかった。
【０００９】
以上のような事情に鑑み、本発明の目的は、録画時に何も機器を持たずにキューポイントを設定でき、再生時に容易に所望のキューポイントを探し出せるキューポイント制御装置およびキューポイント制御プログラムを提供することにある。
【課題を解決するための手段】
【００１０】
上記目的を達成するため、本発明の一形態に係るキューポイント制御装置は、表示装置の画面上に画像を表示させて行うプレゼンテーションを動画として撮影する際に１以上のマーカーを設定するキューポイント制御装置であって、前記プレゼンテーションを行うユーザーの動きを検出する動き検出部と、前記検出された動きから、前記マーカーの設定に関する前記ユーザーの第１の動きを判定したとき、前記撮影中の動画の、前記第１の動きを判定した時のフレームに時間的なマーカーを設定する制御部とを備える。
【００１１】
上記目的を達成するため、本発明の一形態に係るキューポイント制御装置では、前記制御部は、前記検出された動きから、前記マーカーの設定に関する前記ユーザーの第２の動きを判定したとき、前記撮影中の動画の、前記第２の動きを判定した時のフレームから前記第２の動きが示す時間だけ前のフレームに時間的なマーカーを設定する構成でもよい。
【００１２】
上記目的を達成するため、本発明の一形態に係るキューポイント制御装置では、前記制御部は、前記検出された動きから、前記第１の動きを判定したとき、前記画面上に表示されているカーソルの座標を取得し、前記撮影中の動画の、前記第１の動きを判定した時のフレームのフレーム番号と前記座標とを対応付けて空間的なマーカーとして記憶する構成でもよい。
【００１３】
上記目的を達成するため、本発明の一形態に係るキューポイント制御装置は、前記検出された動きから、前記画面を指し示すユーザーの第３の動きを抽出し、抽出結果に基づいて前記画面に表示されるカーソルを移動させるポインティング制御部をさらに備えてもよい。
【００１４】
上記目的を達成するため、本発明の一形態に係るキューポイント制御装置は、前記撮影された動画が再生される際に、前記再生される動画に設定された前記１以上の時間的なマーカーの一覧および前記再生される動画の画像を表示可能な表示部と、前記動画を頭出しするユーザーによる、前記表示された一覧からの前記時間的なマーカーの選択および前記表示された画像上の座標の指示のうち、少なくとも一方を受け付け可能な入力部とを更に備え、前記制御部は、前記時間的なマーカーが指定された場合、前記指定されたマーカーに基づく頭出しを、前記動画を再生する動画再生装置に指示し、前記座標が指示された場合、前記指示された座標を含む特定の範囲に含まれる座標に対応付けられた前記空間的なマーカーを検索し、前記検索されたマーカーに基づく頭出しを、前記動画を再生する動画再生装置に指示する構成でもよい。
【００１５】
上記目的を達成するため、本発明の一形態に係るキューポイント制御装置は、表示装置の画面上に画像を表示させて行うプレゼンテーションを動画として撮影する際に１以上のマーカーを設定するキューポイント制御装置であって、前記マーカーの設定に関する前記ユーザーによる指示を受け付ける入力部と、前記指示を受け付けたとき、前記画面上に表示されているカーソルの座標を取得し、前記撮影中の動画の、前記指示を受け付けた時のフレームのフレーム番号と前記座標とを対応付けて空間的なマーカーとして記憶する制御部とを備えてもよい。
【００１６】
上記目的を達成するため、本発明の一形態に係るキューポイント制御装置は、前記撮影された動画が再生される際に前記動画の画像を表示可能な表示部と、前記動画を頭出しするユーザーによる、前記表示された画像上の座標の指示を受け付け可能な入力部とを更に備え、前記制御部は、前記座標が指示された場合、前記指示された座標を含む特定の範囲に含まれる座標に対応付けられた前記空間的なマーカーを検索し、前記検索されたマーカーに基づく頭出しを、前記動画を再生する動画再生装置に指示する構成でもよい。
【００１７】
上記目的を達成するため、本発明の一形態に係るキューポイント制御プログラムは、表示装置の画面上に画像を表示させて行うプレゼンテーションを動画として撮影する際に１以上のマーカーを設定するキューポイント制御プログラムであって、動き検出部により検出された、前記プレゼンテーションを行うユーザーの動きから、前記マーカーの設定に関する前記ユーザーの動きを判定したとき、前記撮影中の動画の、前記第１の動きを判定した時のフレームに時間的なマーカーを設定する制御部としてコンピューターを機能させる。
【００１８】
上記目的を達成するため、本発明の一形態に係るキューポイント制御プログラムは、表示装置の画面上に画像を表示させて行うプレゼンテーションを動画として撮影する際に１以上のマーカーを設定するキューポイント制御プログラムであって、入力部により前記マーカーの設定に関するユーザーによる指示を受け付けたとき、前記画面上に表示されているカーソルの座標を取得し、前記撮影中の動画の、前記指示を受け付けた時のフレームのフレーム番号と前記座標とを対応付けて空間的なマーカーとして記憶する制御部としてコンピューターを機能させてもよい。
【００１９】
上記目的を達成するため、本発明の一形態に係るキューポイント制御プログラムでは、前記制御部は、前記撮影された動画が再生される際に、前記動画を頭出しするユーザーにより、前記動画の画像上の座標が指示されたとき、前記指示された座標を含む特定の範囲に含まれる座標に対応付けられた前記空間的なマーカーを検索し、前記検索されたマーカーに基づく頭出しを、前記動画を再生する動画再生装置に指示する構成でもよい。
【発明の効果】
【００２０】
以上のように、本発明によれば、録画時に何も機器を持たずにキューポイントを設定でき、再生時に容易に所望のキューポイントを探し出せるという効果を奏する。
【図面の簡単な説明】
【００２１】
【図１】第１の実施形態にかかるキューポイント制御装置の構成図である。
【図２】第１の実施形態にかかるキューポイント制御装置における、キューポイント設定までの流れについて説明するための図である。
【図３】第２の実施形態にかかるキューポイント制御装置における、キューポイント設定までの流れについて説明するための図である。
【図４】第３の実施形態にかかるキューポイント制御装置の構成図である。
【図５】第３の実施形態にかかるキューポイント制御装置における、キューポイント設定までの流れについて説明するための図である。
【図６】第４の実施形態にかかるキューポイント制御装置の構成図である。
【図７】第４の実施形態にかかるキューポイント制御装置におけるキューポイントの指定方法の具体例を示す図である。
【発明を実施するための形態】
【００２２】
以下、図面を参照しながら、本発明の実施形態を説明する。なお、以下の第１の実施形態では、録画時に何も機器を持たずにキューポイントを設定できるキューポイント制御装置について説明する。第２の実施形態では、ユーザーが指示した時間だけ前にキューポイントを設定できるキューポイント制御装置について説明する。第３の実施形態では、２次元空間上の座標を空間的なキューポイントとして利用できるキューポイント制御装置について説明する。第４の実施形態では、動画の再生時に容易に所望のキューポイントを探し出せるキューポイント制御装置について説明する。
【００２３】
＜第１の実施形態＞
［概要］
まず、第１の実施形態の概要について説明する。
【００２４】
ユーザーが表示装置の画面上に画像を表示させながら行うプレゼンテーションを、後に議事録を作成したり動画を編集したりする目的で、撮影し録画することがある。プレゼンテーションの途中で聴衆から質問があった場合など、発表者であるユーザーはプレゼンテーションを中断して質問に対する議論を行ったりするが、ユーザーはその議論を逐一メモすることは困難なので、後で議論を振り返る為に撮影された動画を見直すことになる。
【００２５】
動画を見直す場合、議論が開始された箇所を素早く頭出しする為には、動画の中で、議論が開始されたフレームにキューポイントが設定されていることが好ましい。
【００２６】
第１の実施形態では、モーションキャプチャー用センサーを用いて、撮影中の動画にキューポイントを設定する合図としてユーザーの特定の動作を検知し、ユーザーの所望の位置にキューポイントを設定する。
【００２７】
例えば、プレゼンテーションの途中で聴衆から質問があった場合には、ユーザーは、例えば右手を挙げる動作を行うことにより、キューポイント制御装置に対し、キューポイントを設定する指示を与えることが出来る。
【００２８】
以上、第１の実施形態の概要について説明した。
【００２９】
［構成］
次に、第１の実施形態にかかるキューポイント制御装置の構成について説明する。図１は、第１の実施形態にかかるキューポイント制御装置の構成図である。
【００３０】
第１の実施形態にかかるキューポイント制御装置１ａは、モーションキャプチャー部１０（動き検出部）およびキューポイント制御部２０を備えている。
【００３１】
なお、キューポイント制御装置１ａは、動画を撮影する映像／音声記録装置４０、撮影した動画の動画データを記憶する記憶装置５０、および記憶装置５０から動画データを取得して再生する映像／音声再生装置６０と共に用いられる。映像／音声記録装置４０、記憶装置５０、および映像／音声再生装置６０は、一般的な汎用品を用いればよいので詳細な説明は省略する。
【００３２】
なお、キューポイント制御装置１ａも、ＰＣ（Personal Computer）などの一般的なコンピューターを用いて構成してもよい。
【００３３】
モーションキャプチャー部１０は、カメラ１１、ユーザー検出部１２、および動作検出部１３を有している。
【００３４】
カメラ１１は、プレゼンテーションを発表するユーザーを含めた周辺の画像を撮影する。
【００３５】
ユーザー検出部１２は、カメラ１１により撮影された画像から、プレゼンテーションを発表するユーザーを識別する。
【００３６】
動作検出部１３は、ユーザー検出部１２により識別されたユーザーの特定の動きを検出（抽出、判定）する。
【００３７】
なお、上記の説明では、モーションキャプチャー部１０にカメラ１１等が含まれているものとしたが、この構成に限らず、カメラ１１、ユーザー検出部１２、および動作検出部１３がそれぞれ独立した構成でもよい。それぞれ独立した構成とすることにより、市販の一般的で安価なモーションキャプチャー用センサーを用いることも出来る。
【００３８】
キューポイント制御部２０は、キューポイント設定部２１を有している。キューポイント設定部２１は、モーションキャプチャー部１０によりキューポイントの設定を指示するユーザーの動作が検出されると、検出されたタイミングで映像／音声記録装置４０により記憶装置５０に記憶されている動画のフレームに、キューポイントを設定する。
【００３９】
以上、第１の実施形態にかかるキューポイント制御装置１ａの構成について説明した。
【００４０】
［処理の流れ］
次に、第１の実施形態にかかるキューポイント制御装置１ａにおける、キューポイント設定までの流れについて説明する。図２は、第１の実施形態にかかるキューポイント制御装置１ａにおける、キューポイント設定までの流れについて説明するための図である。
【００４１】
（１）まず、モーションキャプチャー部１０が、プレゼンテーションを行う発表者であるユーザーを認識する。ユーザーを認識することにより、ユーザーの動作を検出することが出来るようになる。
【００４２】
（２）次に、ユーザーが、撮影中の動画にキューポイントを設定するためのジェスチャー（第１の動き）を行う（発行する）。図２に示す例では、録画開始後の経過時間が１３分５７秒の時点でジェスチャーが発行されている。
【００４３】
（３）次に、モーションキャプチャー部１０が、ユーザーの行った動作を検知する。
【００４４】
（４）次に、キューポイント設定部２１は、モーションキャプチャー部１０によりキューポイントの設定を指示するユーザーの動作が検出されると、検出されたタイミングで映像／音声記録装置４０により記憶装置５０に記憶されている動画のフレームに、キューポイントを設定する。図２に示す例では、録画開始後の経過時間が１３分５７秒の時点でのフレームにキューポイントが設定されている。
【００４５】
以上、第１の実施形態にかかるキューポイント制御装置１ａにおける、キューポイント設定までの流れについて説明した。
【００４６】
なお、上記の説明では、キューポイントが動画のフレームに設定されるとしたが、この構成に限らず、キューポイント設定部２０が撮影開始からの経過時間を計測出来るようにして、キューポイントの設定が指示された時点の経過時間をテーブルに記憶し、そのテーブルを撮影した動画と共に記憶する構成でもよい。
【００４７】
＜第２の実施形態＞
［概要］
第１の実施形態では、ユーザーが特定の動作を行った時点で撮影されていたフレームにキューポイントを設定した。これに対し、第２の実施形態では、ユーザーが、特定の動作により、動作を行った時点から指定した時間だけ過去に遡った時点のフレームにキューポイントを設定する。
【００４８】
例えば、ユーザーがキューポイントを設定したい時点において、ジェスチャーを行うことを忘れた場合で、設定したい時点から１０秒経過後にキューポイントを設定することを思い出した場合に、ユーザーが右手の人差し指だけを立てて手を挙げる。
【００４９】
そうすると、手を挙げた時点から１０秒前のフレームにキューポイントが設定される。
【００５０】
［構成］
次に、第２の実施形態にかかるキューポイント制御装置の構成について説明する。第２の実施形態にかかるキューポイント制御装置の構成は、基本的には図１に示すキューポイント制御装置１ａの構成と同様なので、構成図は省略する。
【００５１】
但し、動作検出部１３およびキューポイント設定部２１の機能が一部追加されている。
【００５２】
動作検出部１３は、第１の実施形態で説明した機能に加えて、指示を出した時点より前のフレームにキューポイントを設けるに当り、どれだけ遡ればよいかのユーザーによる指示を検出する。
【００５３】
キューポイント設定部２１は、第１の実施形態で説明した機能に加えて、遡ってキューポイントを設定する指示が検出された時点から、指定された時間だけ遡った時点のフレームにキューポイントを設定する。
【００５４】
以上、第２の実施形態にかかるキューポイント制御装置の構成について説明した。
【００５５】
［処理の流れ］
次に、第２の実施形態にかかるキューポイント制御装置における、キューポイント設定までの流れについて説明する。図３は、第２の実施形態にかかるキューポイント制御装置における、キューポイント設定までの流れについて説明するための図である。
【００５６】
（１）まず、モーションキャプチャー部１０が、プレゼンテーションを行う発表者であるユーザーを認識する。
【００５７】
（２）次に、ユーザーが、撮影中の動画に指定した時間だけ時間を遡ってキューポイントを設定するためのジェスチャー（第２の動き）を行う（発行する）。図３に示す例では、録画開始後の経過時間が１３分５７秒の時点でジェスチャーが発行されている。また、図３に示す例では、指を１本立てるごとに１０秒遡ることにして、ユーザーは手を「Ｖ」の字にして指を２本立てているので、２０秒だけ時間を遡る事になる。
【００５８】
（３）次に、モーションキャプチャー部１０が、ユーザーの行った動作を検知する。
【００５９】
（４）次に、動作検出部１３が、ユーザーの指が２本立っていることから、「２０秒前」の指示が出された事を認識する。
【００６０】
（５）次に、キューポイント設定部２１は、ユーザーの動作が検出されたタイミングで映像／音声記録装置４０により記憶装置５０に記憶されている動画のフレームから２０秒だけ時間軸を遡った時点のフレームに、キューポイントを設定する。図３に示す例では、録画開始後の経過時間が１３分３７秒の時点でのフレームにキューポイントが設定されている。
【００６１】
以上、第２の実施形態にかかるキューポイント制御装置における、キューポイント設定までの流れについて説明した。
【００６２】
＜第３の実施形態＞
［概要］
次に、第３の実施形態にかかるキューポイント制御装置の概要について説明する。第３の実施形態にかかるキューポイント制御装置は、上述した時間的なキューポイントに加えて、ユーザーがプレゼンテーションに使用した画像を２次元空間として、２次元空間上の座標を空間的なキューポイントとして利用できるものである。
【００６３】
例えば、ユーザーが年度ごとの売上高を表した棒グラフを使ってプレゼンテーションする場合に、昨年度の売り上げの棒グラフを指し示して説明している箇所に空間的なキューポイントを設定することが出来る。ここでは、ユーザーが画面を指し示す動作を行った場合に、その動作を検知して画面上に表示するカーソルを移動させるポインティング装置を利用する。
【００６４】
ユーザーがキューポイントの設定を指示する動作を行うと、キューポイント制御装置はその時点でユーザーが指し示していた画面上の座標をキューポイントと共に記憶する。
【００６５】
記憶した座標は、空間的なキューポイントとして、画像を利用した、動画再生時の頭出しに用いられる。
【００６６】
なお、ここでは、キューポイント制御装置が時間的なキューポイントと空間的なキューポイントの両方を扱う構成としたが、これに限らず、空間的なキューポイントのみを扱う構成でもよい。
【００６７】
以上、第３の実施形態にかかるキューポイント制御装置の概要について説明した。
【００６８】
［構成］
次に、第３の実施形態にかかるキューポイント制御装置の構成について説明する。図４は、第３の実施形態にかかるキューポイント制御装置１ｂの構成図である。
【００６９】
キューポイント制御装置１ｂは、モーションキャプチャー部１０、キューポイント制御部２０、およびポインティング制御部３０を備えている。なお、ポインティング制御部３０は、キューポイント制御装置１ｂから独立した装置であってもよい。
【００７０】
なお、以下の説明では、上述した第１の実施形態または第２の実施形態と異なる部分についてのみ説明する。
【００７１】
なお、ここでは図示していないが、ユーザーはプレゼンテーションに用いる画像を表示させるための表示装置を利用しており、ユーザーが表示装置の画面上を指し示す動きにより、画面上のカーソルが移動する構成であるとする。
【００７２】
動作検出部１３は、ユーザー検出部１２により識別されたユーザーの特定の動きを検出（抽出、判定）する。例えば、キューポイントを設定するための動きに加え、ユーザーが表示装置の画面に表示された画像を指で指し示して、指し示したまま手を動かすと、動作検出部１３はその指の動きを抽出して、表示装置の画面上に表示されるカーソルを動かす。
【００７３】
例えば、ユーザーが画面を指している手を右に動かせば、画面上のカーソルも右に移動する。このように、ユーザーは、何も持たず素手でカーソルの移動を指示することが出来る。動作検出部１３は、画面を指さしているユーザーの手の絶対位置を認識するのではなく、手が動かされる相対位置を認識して、画面上のカーソルを移動する。
【００７４】
ポインティング制御部３０は、座標検知部３１および時刻検知部３２を有している。
【００７５】
座標検知部３１は、ユーザーによるキューポイント設定の指示が出された時点において、ユーザーにより指し示されていた表示装置の画面上の位置の座標（すなわち、画面上のカーソルがある位置の座標）を取得する。
【００７６】
時刻検知部３２は、ユーザーによるキューポイント設定の指示が出された時点における、録画の経過時間を検知する。なお、録画の経過時間は、録画開始時点からの動画のフレーム番号と言い換えることが出来る。
【００７７】
キューポイント設定部２１は、座標検知部３１により取得された座標と、時刻検知部３２により検知された経過時間（フレーム番号）とを対応付けて、撮影している動画と共に記憶する。
【００７８】
以上、第３の実施形態にかかるキューポイント制御装置１ｂの構成について説明した。
【００７９】
［処理の流れ］
次に、第３の実施形態にかかるキューポイント制御装置１ｂにおける、時間的なキューポイントおよび空間的なキューポイントの設定までの流れについて説明する。図５は、第３の実施形態にかかるキューポイント制御装置１ｂにおける、キューポイント設定までの流れについて説明するための図である。
【００８０】
（１）まず、モーションキャプチャー部１０が、プレゼンテーションを行う発表者であるユーザーを認識する。
【００８１】
（２）次に、ユーザーが、撮影中の動画にキューポイントを設定するためのジェスチャー（第１の動き）を行う（発行する）。図５に示す例では、録画開始後の経過時間が１３分５７秒の時点でジェスチャーが発行されている。
【００８２】
（３）次に、モーションキャプチャー部１０が、ユーザーの行った動作を検知する。
【００８３】
（４）次に、座標検知部３１が、表示装置の画面上のカーソル位置の座標を取得する。
【００８４】
（５）次に、キューポイント設定部２１は、モーションキャプチャー部１０によりキューポイントの設定を指示するユーザーの動作が検出されると、検出されたタイミングで映像／音声記録装置４０により記憶装置５０に記憶されている動画のフレームに、時間的なキューポイントを設定する。図５に示す例では、録画開始後の経過時間が１３分５７秒の時点でのフレームに時間的なキューポイントが設定されている。
【００８５】
（６）次に、キューポイント設定部２１は、座標検知部３１から渡された座標（Ｘ，Ｙ）を、前のステップで設定された時間的なキューポイントに対応付けてテーブルとして動画と共に記憶する。
【００８６】
以上、第３の実施形態にかかるキューポイント制御装置１ｂにおける、時間的なキューポイントおよび空間的なキューポイントの設定までの流れについて説明した。
【００８７】
＜第４の実施形態＞
［概要］
次に、第４の実施形態の概要について説明する。上記の実施形態にかかるキューポイント制御装置は、撮影している動画のフレームにキューポイントを設定するものであったが、第４の実施形態にかかるキューポイント制御装置は、上記の機能に加えて、既にキューポイントが設定された動画を再生する際に、動画に設定された時間的なキューポイントや空間的なキューポイントを用いて動画の頭出しも出来るものである。
【００８８】
以上、第４の実施形態の概要について説明した。
【００８９】
［構成］
次に、第４の実施形態にかかるキューポイント制御装置の構成について説明する。図６は、第４の実施形態にかかるキューポイント制御装置１ｃの構成図である。
【００９０】
キューポイント制御装置１ｃは、モーションキャプチャー部１０、キューポイント制御部２０、ポインティング制御部、入力部７０、および表示部８０を備えている。なお、ポインティング制御部３０、入力部７０、表示部８０は、キューポイント制御装置１ｃから独立した装置であってもよい。
【００９１】
なお、以下の説明では、上述した第３の実施形態と異なる部分についてのみ説明する。
【００９２】
入力部７０は、例えば、マウス等のポインティングデバイス、キーボード、タッチパネル、その他の操作装置である。
【００９３】
表示部８０は、例えば、液晶ディスプレイ、ＥＬ（Electro-Luminescence）ディスプレイ、プラズマディスプレイ、ＣＲＴ（Cathode Ray Tube）ディスプレイ等である。表示部１６は、キューポイント制御装置１ｃに内蔵されていてもよいし、外部接続されていてもよい。
【００９４】
なお、上述の説明から分かるとおり、キューポイント制御装置１ｃは、一般的なＰＣを用いて構成されてもよい。
【００９５】
以上、第４の実施形態にかかるキューポイント制御装置１ｃの構成について説明した。
【００９６】
［キューポイントの指定方法］
次に、第４の実施形態にかかるキューポイント制御装置１ｃにおけるキューポイントの指定方法の具体例について説明する。図７は、第４の実施形態にかかるキューポイント制御装置１ｃにおけるキューポイントの指定方法の具体例を示す図である。
【００９７】
図７では、表示部８０の画面Ｓのイメージが示してある。画面Ｓの右側には、時間的なキューポイントの一覧Ｌが表示されており、画面Ｓの左側には、録画した動画の再生画面、すなわち、ユーザーがプレゼンテーションで使用した画像Ｇが表示されている。
【００９８】
ユーザーが時間的なキューポイントを用いて動画の頭出しを行う場合、一覧Ｌの中から、頭出ししたい位置のものであると思う時間的キューポイント（例えば時間的キューポイント２）を選択する。
【００９９】
時間的なキューポイントの選択後、キューポイント制御部２０が、映像／音声再生装置６０に頭出しの指示を出し、頭出しが行われる。
【０１００】
ユーザーが空間的なキューポイントを用いて動画を頭出しする場合、画像Ｇ上の任意の位置を指定する。ユーザーは、この指定を行うにあたり、プレゼンテーション時にどの当りをポイントしていたかを思い出して、ポイントしていたであろう位置を指示する。
【０１０１】
例えば、昨年度の売り上げの説明をしていた箇所を頭出しするには、プレゼンテーションにおいて、その説明の際に、昨年度の売り上げのグラフを指し示していたであろうことから、昨年度の売り上げのグラフの辺りＰを指示する。
【０１０２】
空間的なキューポイントは、１点の座標Ｚとして記憶されているので、その点Ｚをピンポイントで指定することは困難である。そのため、記憶されている座標Ｚを含む特定の範囲Ｐ内の座標が指定されたとき、座標Ｚに対応する空間的なキューポイントが指定されたものと見なす。
【０１０３】
空間的なキューポイントの座標が指定されると、キューポイント制御部２０は、動画と共に記憶されている、座標とフレーム番号とが対応付けされたテーブルを検索し、頭出しすべきフレーム番号を取得する。
【０１０４】
フレーム番号の取得後、キューポイント制御部２０が、映像／音声再生装置６０（動画再生装置）に頭出しの指示を出し、頭出しが行われる。
【０１０５】
以上、第４の実施形態にかかるキューポイント制御装置１ｃにおけるキューポイントの指定方法の具体例について説明した。
【０１０６】
［効果］
（１）プレゼンテーション中に入力機器に触らずに、撮影している動画にキューポイントを設定することが出来る。（レーザーポインターなどの特殊なデバイスを持つ必要が無い。）
【０１０７】
（２）プレゼンテーション中に、指示を出した時刻より指定した時間だけ前の時点に、キューポイントを設定することが出来る。
【０１０８】
（３）プレゼンテーション時に指し示していた座標に基づいて頭出しすることが出来る。
【０１０９】
［補足事項］
その他、本技術は、上述の実施形態にのみ限定されるものではなく、本技術の要旨を逸脱しない範囲内において種々変更を加え得ることは勿論である。
【符号の説明】
【０１１０】
１０  …  モーションキャプチャー部
１１  …  カメラ
１２  …  ユーザー検出部
１３  …  動作検出部
２０  …  キューポイント制御部
２１  …  キューポイント設定部
３０  …  ポインティング制御部
３１  …  座標検知部
３２  …  時刻検知部
４０  …  映像／音声記録装置
５０  …  記憶装置
６０  …  映像／音声再生装置
７０  …  入力部
８０  …  表示部
【図１】
0006010062.tif 000002
【図２】
0006010062.tif 000003
【図３】
0006010062.tif 000004
【図４】
0006010062.tif 000005
【図５】
0006010062.tif 000006
【図６】
0006010062.tif 000007
【図７】
0006010062.tif 000008